(57)【要約】【課題】製造コストの削減が図られるスキャナ装置を提供する。【解決手段】スキャナ装置１０は、ＦＢスキャナ１５と、ＡＤＦスキャナ１２とを搭載する。スキャナ装置１０は、読み取りユニット３５と、可倒式のレバー２１と、フォトセンサ４１とを備える。レバー２１は、第１状態から、読み取り位置Ｘに搬送された原稿に接触することにより第２状態に作動する。フォトセンサ４１は、読み取りユニット３５に設けられている。読み取りユニット３５が原点位置Ｐに位置決めされた時、第１状態にあるレバー２１にフォトセンサ４１が遮光されることによって、読み取りユニット３５の原点復帰が検出される。レバー２１が第２状態に作動し、フォトセンサ４１の遮光が解除されることによって、読み取り位置Ｘに原稿が搬送されるタイミングが検出される。【選択図】図１
2008118537.tif 000002
【特許請求の範囲】
【請求項１】
読み取り位置に載置された原稿を読み取るＦＢ（Flat Bed）スキャナと、読み取り位置に自動供給された原稿を読み取るＡＤＦ（Auto Document Feeder）スキャナとを搭載するスキャナ装置であって、
前記ＦＢスキャナによる読み取り時、移動しながら原稿を読み取り、前記ＡＤＦスキャナによる読み取り時、原点位置に復帰して原稿を読み取る読み取り装置と、
前記ＡＤＦスキャナに設けられ、第１状態から、読み取り位置に搬送された原稿に接触することにより第２状態に作動する、可倒式のレバー部材と、
前記読み取り装置に設けられ、前記ＦＢスキャナによる読み取り時、前記読み取り装置とともに移動するフォトセンサとを備え、
前記読み取り装置が原点位置に位置決めされた時、前記第１状態にある前記レバー部材に前記フォトセンサが遮光されることによって、前記読み取り装置の原点復帰が検出され、前記レバー部材が第２状態に作動し、前記フォトセンサの遮光が解除されることによって、読み取り位置に原稿が搬送されるタイミングが検出され、
前記読み取り装置の原点復帰を検出する時と、読み取り位置に原稿が搬送されるタイミングを検出する時とがずれている、スキャナ装置。
【請求項２】
読み取り位置に載置された原稿を読み取るＦＢスキャナと、読み取り位置に自動供給された原稿を読み取るＡＤＦスキャナとを搭載するスキャナ装置であって、
前記ＦＢスキャナによる読み取り時、移動しながら原稿を読み取り、前記ＡＤＦスキャナによる読み取り時、原点位置に復帰して原稿を読み取る読み取り装置と、
前記ＡＤＦスキャナに設けられ、読み取り位置に搬送された原稿に接触することにより作動する作動部材と、
前記読み取り装置に設けられ、前記ＦＢスキャナによる読み取り時、前記読み取り装置とともに移動するセンサとを備え、
前記読み取り装置が原点位置に位置決めされた時、前記センサが前記作動部材を検知することによって、前記読み取り装置の原点復帰が検出され、前記センサが前記作動部材の作動を検知することによって、読み取り位置に原稿が搬送されるタイミングが検出される、スキャナ装置。
【請求項３】
前記センサは、フォトセンサであり、
前記作動部材は、第１状態から、読み取り位置に搬送された原稿に接触することにより第２状態に作動する、可倒式のレバー部材であり、
前記読み取り装置が原点位置に位置決めされた時、前記第１状態にある前記レバー部材に前記フォトセンサが遮光されることによって、前記読み取り装置の原点復帰が検出され、前記レバー部材が第２状態に作動し、前記フォトセンサの遮光が解除されることによって、読み取り位置に原稿が搬送されるタイミングが検出される、請求項２に記載のスキャナ装置。
【請求項４】
前記レバー部材は、回転自在に支持されたシャフト部を含み、
前記シャフト部に設けられ、前記レバー部材を前記第１状態に向けて付勢する弾性部材をさらに備える、請求項３に記載のスキャナ装置。
【請求項５】
前記読み取り装置の原点復帰を検出する時と、読み取り位置に原稿が搬送されるタイミングを検出する時とがずれている、請求項２から４のいずれか１項に記載のスキャナ装置。
【発明の詳細な説明】
【技術分野】
【０００１】
この発明は、一般的には、スキャナ装置に関し、より特定的には、ＦＢ（Flat Bed）スキャナと、ＡＤＦ（Auto Document Feeder）スキャナとを搭載するスキャナ装置に関する。
【背景技術】
【０００２】
従来のスキャナ装置に関して、たとえば、特開２００４−３４９９９５号公報には、コストを抑えてＡＤＦでの原稿の読み取りを迅速に行なうことを目的としたカラー画像読み取り装置が開示されている（特許文献１）。特許文献１に開示されたカラー画像読み取り装置は、読み取り位置に原稿を自動供給する自動原稿供給装置（ＡＤＦ）と、その読み取り位置とは別の読み取り開始位置から原稿の読み取りを開始するフラットベッドスキャナ（ＦＢＳ）と、ＡＤＦに原稿があるのか、ＦＢＳに原稿があるのかを検出する原稿検知センサとを備える。原稿検知センサの検知信号に基づいて、ＡＤＦによる読み取りを実行するか、ＦＢＳによる読み取りを実行するかを判断する。
【０００３】
また、特開２００４−１０４１９１号公報には、フチ無しコピーなどを行なう高機能化かつ複合化された画像処理システムにおいて、簡単、安価な構成により効率良く確実に画像処理を行なうことを目的とした画像処理装置が開示されている（特許文献２）。特許文献２に開示された画像処理装置では、ＡＤＦ読み取り方式と、フラットベッド読み取り方式との双方が利用できる。ＡＤＦの原稿セット位置の端部には、光学センサやリミットスイッチ等からなる原稿検知センサが設けられている。
【０００４】
また、特開平１０−１０７９３４号公報には、小型化、軽量化、低コスト化を図ることを目的とした画像入力装置が開示されている（特許文献３）。特許文献３に開示された画像入力装置は、ＡＤＦを備える。ＡＤＦ内には、回動自在な遮光レバーが設けられている。原稿の先端が遮光レバーを押圧する前、遮光レバーは、光ファイバから出射する光を遮光する。原稿の先端が遮光レバーを押圧すると、遮光レバーは、光ファイバの光路から外れた位置まで回動する。このとき、光ファイバから出射した光は、遮光レバーに遮光されることなくフォトトランジスタに入射する。このような機構により、原稿の動作が検出される。
【特許文献１】特開２００４−３４９９９５号公報
【特許文献２】特開２００４−１０４１９１号公報
【特許文献３】特開平１０−１０７９３４号公報
【発明の開示】
【発明が解決しようとする課題】
【０００５】
上述の特許文献に開示されるように、読み取り位置に載置された原稿を読み取るＦＢスキャナと、読み取り位置に自動供給された原稿を読み取るＡＤＦスキャナとの双方を搭載するスキャナ装置が知られている。スキャナ装置は、ＡＤＦスキャナによる読み取り時、静止して原稿の読み取りを行ない、ＦＢスキャナによる読み取り時、移動しながら原稿の読み取りを行なう読み取りユニットを備える。
【０００６】
このようなスキャナ装置では、ＡＤＦスキャナによる読み取り時に原稿の動作を検出するセンサのほか、読み取りユニットの原点位置を検出するセンサが必要とされる。しかしながら、検出する対象ごとにセンサを設けた場合、センサの数が多くなり、スキャナ装置の製造コストが増大するおそれがある。
【０００７】
そこでこの発明の目的は、上記の課題を解決することであり、製造コストの削減が図られるスキャナ装置を提供することである。
【課題を解決するための手段】
【０００８】
この発明の１つの局面に従ったスキャナ装置は、読み取り位置に載置された原稿を読み取るＦＢスキャナと、読み取り位置に自動供給された原稿を読み取るＡＤＦスキャナとを搭載するスキャナ装置である。スキャナ装置は、読み取り装置と、可倒式のレバー部材と、フォトセンサとを備える。読み取り装置は、ＦＢスキャナによる読み取り時、移動しながら原稿を読み取り、ＡＤＦスキャナによる読み取り時、原点位置に復帰して原稿を読み取る。レバー部材は、ＡＤＦスキャナに設けられ、第１状態から、読み取り位置に搬送された原稿に接触することにより第２状態に作動する。フォトセンサは、読み取り装置に設けられ、ＦＢスキャナによる読み取り時、読み取り装置とともに移動する。読み取り装置が原点位置に位置決めされた時、第１状態にあるレバー部材にフォトセンサが遮光されることによって、読み取り装置の原点復帰が検出される。レバー部材が第２状態に作動し、フォトセンサの遮光が解除されることによって、読み取り位置に原稿が搬送されるタイミングが検出される。読み取り装置の原点復帰を検出する時と、読み取り位置に原稿が搬送されるタイミングを検出する時とがずれている。
【０００９】
このように構成されたスキャナ装置によれば、読み取り装置の原点復帰を検出するセンサと、ＡＤＦスキャナの読み取り位置に原稿が搬送されるタイミングを検出するセンサとを共用することができる。これにより、部品点数を減らし、スキャナ装置の製造コストを削減することができる。また、読み取り装置の原点復帰を検出する時と、読み取り位置に原稿が搬送されるタイミングを検出する時とがずれているため、センサの共用が可能となる。
【００１０】
この発明の別の局面に従ったスキャナ装置は、読み取り位置に載置された原稿を読み取るＦＢスキャナと、読み取り位置に自動供給された原稿を読み取るＡＤＦスキャナとを搭載するスキャナ装置である。スキャナ装置は、読み取り装置と、作動部材と、センサとを備える。読み取り装置は、ＦＢスキャナによる読み取り時、移動しながら原稿を読み取り、ＡＤＦスキャナによる読み取り時、原点位置に復帰して原稿を読み取る。作動部材は、ＡＤＦスキャナに設けられ、読み取り位置に搬送された原稿に接触することにより作動する。センサは、読み取り装置に設けられ、ＦＢスキャナによる読み取り時、読み取り装置とともに移動する。読み取り装置が原点位置に位置決めされた時、センサが作動部材を検知することによって、読み取り装置の原点復帰が検出される。センサが作動部材の作動を検知することによって、読み取り位置に原稿が搬送されるタイミングが検出される。
【００１１】
このように構成されたスキャナ装置によれば、読み取り装置の原点復帰を検出するセンサと、ＡＤＦスキャナの読み取り位置に原稿が搬送されるタイミングを検出するセンサとを共用することができる。これにより、部品点数を減らし、スキャナ装置の製造コストを削減することができる。
【００１２】
また好ましくは、センサは、フォトセンサである。作動部材は、第１状態から、読み取り位置に搬送された原稿に接触することにより第２状態に作動する、可倒式のレバー部材である。読み取り装置が原点位置に位置決めされた時、第１状態にあるレバー部材にフォトセンサが遮光されることによって、読み取り装置の原点復帰が検出され、レバー部材が第２状態に作動し、フォトセンサの遮光が解除されることによって、読み取り位置に原稿が搬送されるタイミングが検出される。このように構成されたスキャナ装置によれば、レバー部材によるフォトセンサの遮光、遮光の解除を通じて、読み取り装置の原点復帰と、読み取り位置に原稿が搬送されるタイミングとを検出することができる。
【００１３】
また好ましくは、レバー部材は、回転自在に支持されたシャフト部を含む。スキャナ装置は、シャフト部に設けられ、レバー部材を第１状態に向けて付勢する弾性部材をさらに備える。このように構成されたスキャナ装置によれば、読み取り装置の原点復帰の検出時、弾性部材の弾性力によって、レバー部材をフォトセンサの遮光が可能な第１状態に保持することができる。
【００１４】
また好ましくは、読み取り装置の原点復帰を検出する時と、読み取り位置に原稿が搬送されるタイミングを検出する時とがずれている。このように構成されたスキャナ装置によれば、検出の時機がずれているためセンサの共用が可能となる。
【発明の効果】
【００１５】
以上説明したように、この発明に従えば、製造コストの削減が図られるスキャナ装置を提供することができる。
【発明を実施するための最良の形態】
【００１６】
この発明の実施の形態について、図面を参照して説明する。なお、以下で参照する図面では、同一またはそれに相当する部材には、同じ番号が付されている。
【００１７】
（実施の形態１）
図１は、この発明の実施の形態１におけるスキャナ装置を示す断面図である。図１を参照して、スキャナ装置１０は、読み取り位置Ｙに載置された原稿を読み取るＦＢスキャナ１５と、読み取り位置Ｘに自動供給された原稿を読み取るＡＤＦスキャナ１２とを搭載する。読み取り位置Ｘと読み取り位置Ｙとは、互いに異なる位置である。
【００１８】
スキャナ装置１０は、読み取りユニット３５と、ＡＤＦ（自動原稿供給装置）５０とを備える。ＡＤＦ５０および読み取りユニット３５は、それぞれ第１筐体１６および第２筐体１８に収容されている。第２筐体１８には、プラテンカバー５１が開閉自在に取り付けられている。第２筐体１８上に、第１筐体１６およびプラテンカバー５１が互いに隣接して配置されている。
【００１９】
読み取りユニット３５は、図示しないＣＣＤ（Charge Coupled Device；電荷結合素子）や光源等を含む。読み取りユニット３５は、原稿に読み取り用の光を投影し、原稿から反射された信号光をＣＣＤ上に光学系を介して結合させ、電子的走査を行なって電気信号として画像の入力を行なう。
【００２０】
読み取りユニット３５は、移動可能に設けられている。読み取りユニット３５は、第２筐体１８内で副走査方向（図１における左右方向）に移動可能に設けられている。読み取りユニット３５は、水平方向における一方向において往復運動が可能なように設けられている。第２筐体１８には、読み取りユニット３５を移動させる駆動機構が収容されている。駆動機構は、駆動源としてのステッピングモータ３１と、動力伝達部としてのプーリ３２、ベルト３３およびプーリ３４とを含む。
【００２１】
読み取りユニット３５は、ＡＤＦスキャナ１２による原稿の読み取り時、第２筐体１８内の原点位置Ｐに位置決めされる。読み取りユニット３５は、原点位置Ｐに静止したまま原稿の読み取りを行なう。副走査方向の一端に、原点位置Ｐがある。ＡＤＦ５０の直下に原点位置Ｐがある。
【００２２】
読み取りユニット３５は、ＦＢスキャナ１５による原稿の読み取り時、第２筐体１８内を移動しながら原稿の読み取りを行なう。読み取りユニット３５は、ステッピングモータ３１のパルスカウントを初期値に戻すため、原稿の読み取りを終えるごとに原点位置Ｐに戻る。
【００２３】
ＡＤＦ５０は、ＡＤＦスキャナ１２による原稿の読み取り時、原稿を読み取り位置Ｘに向けて搬送する。ＡＤＦ５０は、ピックアップローラ５４と、搬送ローラ５５および５６と、排紙ローラ５７とを含む。原稿が搬送される経路上において搬送ローラ５６と排紙ローラ５７との間には、シェイディングプレート６１およびガラス６２が設けられている。シェイディングプレート６１およびガラス６２は、互いに向い合わせに配置されている。ガラス６２上の位置が、読み取り位置Ｘである。読み取り位置Ｘにおいて、ガラス６２上を移動する原稿が、シェイディングプレート６１によって押圧される。原点位置Ｐに位置決めされた読み取りユニット３５は、読み取り位置Ｘに対向して配置される。
【００２４】
プラテンカバー５１は、原稿供給トレイ５２および原稿排出トレイ５３を含む。ＡＤＦスキャナ１２による原稿の読み取り時、原稿供給トレイ５２に原稿２０１がセッティングされる。原稿供給トレイ５２にセッティングされた原稿２０１は、ピックアップローラ５４により１枚ずつ給紙される。原稿２０１は、さらに搬送ローラ５５および５６によって読み取り位置Ｘに送られる。原稿２０１は、読み取り位置Ｘの直前で鉛直下方向に傾斜して搬送され、読み取り位置Ｘで水平方向に搬送される。読み取り位置Ｘで読み取りされた原稿２０１は、排紙ローラ５７によって原稿排出トレイ５３に排出される。
【００２５】
プラテンカバー５１の直下には、ガラス６６が配置されている。ガラス６６上の位置が、読み取り位置Ｙである。ＦＢスキャナ１５による原稿の読み取り時、プラテンカバー５１を開いた状態で原稿がガラス６６上に載置される。プラテンカバー５１が閉じられ、ガラス６６上に載置された原稿がプラテンカバー５１によって押圧される。
【００２６】
図２は、図１中の２点鎖線ＩＩに囲まれた範囲を示すスキャナ装置の図である。図３は、図２中の矢印ＩＩＩに示す方向から見たスキャナ装置の図である。図２および図３を参照して、スキャナ装置１０は、フォトセンサ４１およびレバー２１をさらに備える。
【００２７】
フォトセンサ４１は、読み取りユニット３５に設けられている。フォトセンサ４１は、ＦＢスキャナ１５による原稿の読み取り時、読み取りユニット３５とともに移動する。ＡＤＦスキャナ１２による読み取り時、読み取りユニット３５が原点位置Ｐに位置決めされると、フォトセンサ４１は、ＡＤＦ５０と対向する位置に配置される。
【００２８】
フォトセンサ４１は、発光部４２と受光部４３とを含む光透過型のフォトインターラプタである。発光部４２と受光部４３とは、互いに間隔を隔てて設けられている。発光部４２は、光を出射し、受光部４３は、発光部４２から出射された光を受光する。
【００２９】
レバー２１は、ＡＤＦスキャナ１２に設けられている。レバー２１は、読み取りユニット３５が原点位置Ｐに位置決めされた時に、フォトセンサ４１と、ＡＤＦ５０によって搬送される原稿の経路との間に配置される。レバー２１は、第１筐体１６と第２筐体１８との境界部分に配置されている。レバー２１は、水平方向において、読み取り位置Ｘの直前で鉛直下方向に傾斜して搬送される原稿の経路と並ぶように配置されている。
【００３０】
レバー２１は、シャフト部２４、第１延出部２２および第２延出部２３を含む。シャフト部２４は、副走査方向に直交する主走査方向に延びる。シャフト部２４は、スキャナ本体側に回転自在に支持されている。レバー２１は、可倒式であり、シャフト部２４を中心に回転可能なように設けられている。第１延出部２２および第２延出部２３は、シャフト部２４から互いに反対方向に向けて延出する。
【００３１】
スキャナ装置１０は、弾性部材としてのコイルばね２０をさらに備える。コイルばね２０は、シャフト部２４に設けられている。コイルばね２０の弾性力により、レバー２１は、図２および図３中に示す第１状態に付勢されている。
【００３２】
レバー２１が第１状態にある時、第１延出部２２は、ＡＤＦ５０によって搬送される原稿の経路を遮るように配置される。読み取りユニット３５が原点位置Ｐに戻ると、発光部４２と受光部４３との間に第２延出部２３が位置決めされ、フォトセンサ４１が第１状態にあるレバー２１によって遮光される。これにより、読み取りユニット３５の原点復帰がフォトセンサ４１によって検出される。
【００３３】
なお、本実施の形態では、第１延出部２２が読み取り位置Ｘの直前で鉛直下方向に傾斜して搬送される原稿の経路を遮るように、レバー２１が設けられている。この場合、第１延出部２２が水平方向に搬送される原稿の経路を遮るように、レバー２１が設けられる場合と比較して、スキャナ装置１０の高さを小さく抑えることができる。
【００３４】
図４は、第２状態に作動した時の図２中のレバーを示す図である。図４を参照して、ＡＤＦスキャナ１２による原稿の読み取り時、ＡＤＦ５０によって読み取り位置Ｘに向けて原稿２０１が搬送される。このとき、原稿２０１が第１延出部２２に接触することにより、レバー２１が、コイルばね２０の弾性力に抗して回動する。これに伴い、第２延出部２３が、発光部４２から出射された光の光路からずれた位置まで移動し、フォトセンサ４１の遮光が解除される。これにより、読み取り位置Ｘに原稿２０１が搬送されるタイミングがフォトセンサ４１によって検出される。
【００３５】
読み取りユニット３５の原点復帰の検出と、原稿の搬送タイミングの検出とは、必ずずれたタイミングで行なわれる。すなわち、原稿の搬送タイミングの検出は、ＡＤＦスキャナ１２により原稿の読み取りを開始した後に行なわれる。これに対して、読み取りユニット３５の原点復帰の検出は、ＡＤＦスキャナ１２による原稿の読み取りの開始前や、ＦＢスキャナ１５による原稿の読み取り時、電源ＯＮ時、リセット時等のタイミングで行なわれる。
【００３６】
この発明の実施の形態１におけるスキャナ装置１０は、読み取り装置としての読み取りユニット３５と、可倒式のレバー部材としてのレバー２１と、フォトセンサ４１とを備える。読み取りユニット３５は、ＦＢスキャナ１５による読み取り時、移動しながら原稿を読み取り、ＡＤＦスキャナ１２による読み取り時、原点位置Ｐに復帰して原稿を読み取る。レバー２１は、ＡＤＦスキャナ１２に設けられ、第１状態から、読み取り位置Ｘに搬送された原稿に接触することにより第２状態に作動する。フォトセンサ４１は、読み取りユニット３５に設けられ、ＦＢスキャナ１５による読み取り時、読み取りユニット３５とともに移動する。読み取りユニット３５が原点位置Ｐに位置決めされた時、第１状態にあるレバー２１にフォトセンサ４１が遮光されることによって、読み取りユニット３５の原点復帰が検出される。レバー２１が第２状態に作動し、フォトセンサ４１の遮光が解除されることによって、読み取り位置Ｘに原稿が搬送されるタイミングが検出される。読み取りユニット３５の原点復帰を検出する時と、読み取り位置Ｘに原稿が搬送されるタイミングを検出する時とがずれている。
【００３７】
このように構成された、この発明の実施の形態１におけるスキャナ装置１０によれば、読み取りユニット３５の原点復帰の検出と、原稿の搬送タイミングの検出とを、１つのフォトセンサ４１によって行なうことができる。これにより、部品点数の削減や組み立て工程の削減を通じて、スキャナ装置１０の製造コストを削減することができる。
【００３８】
なお、本実施の形態では、読み取りユニット３５の原点復帰の検出と、原稿の搬送タイミングの検出とを検出するセンサとしてフォトセンサ４１を用いた場合を説明したが、センサの種類は、これに限られない。フォトセンサ４１に替えて、たとえば磁気センサやマイクロスイッチ等を用いても良い。
【００３９】
（実施の形態２）
図５は、この発明の実施の形態２におけるスキャナ装置を示す断面図である。図５は、実施の形態１における図２に対応する図である。本実施の形態におけるスキャナ装置は、実施の形態１におけるスキャナ装置１０と比較して、基本的に同様の構造を備える。以下、重複する構造については説明を繰り返さない。
【００４０】
図５を参照して、本実施の形態では、図２中のレバー２１に替えて、ＡＤＦスキャナ１２に作動部材としてのロッド７１が設けられている。ロッド７１は、読み取りユニット３５が原点位置Ｐに位置決めされた時に、フォトセンサ４１に向かって延出する延出部７１ｅを含む。延出部７１ｅには、切り欠き７２が形成されている。
【００４１】
延出部７１ｅには、コイルばね２８が設けられている。コイルばね２８の弾性力により、ロッド７１は、図５中に示す第１状態に付勢されている。ロッド７１が第１状態にある時、ロッド７１は、ＡＤＦ５０によって搬送される原稿の経路を遮るように配置される。読み取りユニット３５が原点位置Ｐに戻ると、発光部４２と受光部４３との間に延出部７１ｅが位置決めされ、フォトセンサ４１が第１状態にあるロッド７１によって遮光される。これにより、読み取りユニット３５の原点復帰がフォトセンサ４１によって検出される。
【００４２】
図６は、第２状態に作動した時の図５中のロッドを示す図である。図６を参照して、ＡＤＦスキャナ１２による原稿の読み取り時、原稿２０１がロッド７１に接触することにより、ロッド７１が、コイルばね２８の弾性力に抗してスライド移動する。これに伴い、切り欠き７２が発光部４２と受光部４３との間に位置決めされ、フォトセンサ４１の遮光が解除される。これにより、読み取り位置Ｘに搬送される用紙のタイミングがフォトセンサ４１によって検出される。
【００４３】
本実施の形態では、作動部材は、第１状態から、読み取り位置Ｘに搬送された原稿に接触することにより第２状態に作動する、スライド自在な部材としてのロッド７１である。
【００４４】
このように構成された、この発明の実施の形態２におけるスキャナ装置によれば、実施の形態１に記載の効果と同様の効果を得ることができる。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４６】
【図１】この発明の実施の形態１におけるスキャナ装置を示す断面図である。
【図２】図１中の２点鎖線ＩＩに囲まれた範囲を示すスキャナ装置の図である。
【図３】図２中の矢印ＩＩＩに示す方向から見たスキャナ装置の図である。
【図４】第２状態に作動した時の図２中のレバーを示す図である。
【図５】この発明の実施の形態２におけるスキャナ装置を示す断面図である。
【図６】第２状態に作動した時の図５中のロッドを示す図である。
【符号の説明】
【００４７】
１０  スキャナ装置、１２  ＡＤＦスキャナ、１５  ＦＢスキャナ、２０，２８  コイルばね、２１  レバー、３５  読み取りユニット、４１  フォトセンサ、４２  発光部、４３  受光部、５０  ＡＤＦ、７１  ロッド、２０１  原稿。
【図１】
2008118537.tif 000003
【図２】
2008118537.tif 000004
【図３】
2008118537.tif 000005
【図４】
2008118537.tif 000006
【図５】
2008118537.tif 000007
【図６】
2008118537.tif 000008